(57)【要約】【課題】配水管の交換工事を行う際に、仮設給水管に接続した状態でメータを水平に、しかもメータボックス内に仮設して、正確な水量の計量を行い、かつ従前のように作業の邪魔になることも防止できる、メータ仮設用ヨークを提供する。【解決手段】メータMの上流側接続部M１に接続されるメータ上流部接続部３３と、該メータ上流部接続部と同芯状に設けられ、メータの下流側接続部M２に接続されるメータ下流部接続部３７と、メータ下流部接続部に連通し、既設配管においてメータの下流側接続部が接続される下流側既設配管１７に接続される下流側既設配管接続部４５と、前記下流側既設配管接続部と同心状に設けられ、既設配管においてメータの上流側接続部が接続される上流側既設配管１９，１５に接続される上流側既設配管接続部４３を備える水道メータ仮設用ヨーク。【選択図】  図２
2015145593.tif 000002
【特許請求の範囲】
【請求項１】
メータの上流側接続部に接続される筒状のメータ上流部接続部と、該メータ上流部接続部と同芯状に設けられ、前記メータの下流側接続部に接続される筒状のメータ下流部接続部と、前記メータ下流部接続部に連通し、既設配管においてメータの下流側接続部が接続される下流側既設配管に接続される筒状の下流側既設配管接続部とを備えていることを特徴とする、水道メータ仮設用ヨーク。
【請求項２】
請求項１記載の水道メータ仮設用ヨークにおいて、該ヨークはさらに、前記下流側既設配管接続部と同心状に設けられ、既設配管においてメータの上流側接続部が接続される上流側既設配管に接続される上流側既設配管接続部を備えることを特徴とする、水道メータ仮設用ヨーク。
【請求項３】
請求項２において、前記メータ上流側接続部と前記メータ下流側接続部との共通の中心線と前記上流側既設配管接続部と前記下流側既設配管接続部との共通の中心線とは平行であることを特徴とする、水道メータ仮設用ヨーク。
【請求項４】
請求項３記載の水道メータ仮設用ヨークにおいて、前記メータ上流部接続部と前記上流側既設配管接続部とは剛性を備えた一体の上流側ヨーク部として形成され、前記メータ下流部接続部と前記下流側既設配管接続部とは、剛性を備えた一体の下流側ヨーク部として形成されていることを特徴とする、水道メータ仮設用ヨーク。
【請求項５】
請求項４において、前記上流側ヨーク部と前記下流側ヨーク部とは、剛性を備えた一体のヨークとして形成されていることを特徴とする、水道メータ仮設用ヨーク。
【請求項６】
請求項１乃至５のいずれかに記載の水道メータ仮設用ヨークにおいて、該ヨークはさらに、前記メータ上流部接続部と前記メータ下流部接続部とをそれぞれ支持する支持脚を備えていることを特徴とする、水道メータ仮設用ヨーク。
【発明の詳細な説明】
【技術分野】
【０００１】
本願発明は、水道メータ仮設用ヨークに関する。より具体的には、配水管の敷設替え工事を行う際に、既設の配管から取外したメータを仮設給水管と既設の下流側配管との間に接続して、敷設替え工事中でも水の使用及びその計量を可能にするために使用する水道メータ仮設用ヨークに関する。
【背景技術】
【０００２】
水道の配水管を交換する場合、工事中でも付近の家屋での断水を防止するために仮設配水管を設置して給水を継続することが行われる。この場合、この仮設配水管から各戸へ分岐する仮設給水管に既設配管から取外したメータの上流側を接続する。そしてT字管（チーズ）を使用してメータの下流側を既設の下流側配管に接続する。すなわち、メータの上流側及び下流側の既設の配管をそのままにして、この既設の配管からメータを取り外し、チーズの水平部の両端を既設配管の上流側と下流側とに接続し、チーズの垂直管部の端部にメータの下流側を接続する。これにより仮設給水管からメータを通って給水が可能となる。なお、上流側の既設配管には通常止水栓が取付けられており、この止水栓を止水状態にして水が上流側へ流れるのを防止する。
【０００３】
しかしこのような構成では、メータを水平状態に設置することが困難となり、正確な計量ができない。また、メータの一部がメータボックスからはみ出してしまい、作業の邪魔になる場合がある。
【０００４】
従来工事現場においてこのような不都合が認識されてはいたが、今までにこれを問題点として解決することは具体的には行われておらず、出願人において調べたが、このような問題を指摘した文献を見出すことはできなかった。
【発明の概要】
【発明が解決しようとする課題】
【０００５】
本願発明は上記従来の問題点に鑑みなされたものであり、配水管の交換工事を行う際に、仮設給水管に接続した状態でメータを水平に、しかもメータボックス内に仮設して、正確な水量の計量を行い、かつ従前のように作業の邪魔になることも防止できる、メータ仮設用ヨークを提供することをその課題とする。
【課題を解決するための手段】
【０００６】
上記課題を解決するために本願発明は、以下の構成の水道メータ仮設用ヨークを提供する。すなわちそのヨークは、メータの上流側接続部に接続される筒状のメータ上流部接続部と、該メータ上流部接続部と同芯状に設けられ、前記メータの下流側接続部に接続される筒状のメータ下流部接続部とを備え、さらに、前記メータ下流部接続部に連通し、既設配管においてメータの下流側接続部が接続される下流側既設配管に接続される筒状の下流側既設配管接続部とを備えている水道メータ仮設用ヨークである。
上記ヨークはさらに、前記下流側既設配管接続部と同心状に設けられ、既設配管においてメータの上流側接続部が接続される上流側既設配管に接続される上流側既設配管接続部を備える構成とすると、既設配管にヨークを取付けることができ、好都合である。
上記ヨークにおいて、前記メータ上流側接続部と前記メータ下流側接続部との共通の中心線と前記上流側既設配管接続部と前記下流側既設配管接続部との共通の中心線とは平行にすると好適である。
上記ヨークにおいて、前記メータ上流部接続部と前記上流側既設配管接続部とは剛性を備えた一体の上流側ヨーク部として形成され、前記メータ下流部接続部と前記下流側既設配管接続部とは、剛性を備えた一体の下流側ヨーク部として形成されていると、取り扱いが便利となり、好都合である。
上記ヨークにおいて、前記上流側ヨーク部と前記下流側ヨーク部とは、剛性を備えた一体のヨークとして形成されていると、取り付け作業、及びヨークの使用中も堅牢となり、好都合である。
上記ヨークにおいてさらに、前記メータ上流部接続部と前記メータ下流部接続部とをそれぞれ支持する支持脚を備えていると、メータを取付けたヨークを安定的に維持することができ、好都合である。
【発明の効果】
【０００７】
本願発明の水道メータ仮設用ヨークを用いることにより、配水管の敷設替え工事を行う間でも、仮設の配水管及び給水管を通じて給水ができ、その際にメータを水平な姿勢に保つことができるので、正しく水の使用量を計量できる。また、メータはメータボックス内に仮設できるので、従前のような作業の妨げになるようなこともない。  
【図面の簡単な説明】
【０００８】
【図１】メータユニットをメータボックス内に配置した状態を示す正面図である。
【図２】本発明のメータ仮設用ヨークを用いてメータを仮設した状態を示す正面図である。
【図３】図２の右側面図である。
【図４】支持脚の正面図である。
【発明を実施するための最良の形態】
【０００９】
以下図面を参照して本願発明の水道メータ仮設用ヨークについて説明する。なお、以下においてはメータユニットを例として説明する。
【００１０】
図1は、メータユニット１１をメータボックス１内に設置した状態を示す正面図であり、通常の使用状態を示している。メータボックス１は、本体２と、本体２の下に配置される底板３と本体１の上部開口を閉鎖する蓋４とで構成されている。
【００１１】
この例に示すメータユニット１１は従来知られたタイプのメータユニットであり、その基本構成は公知であるので、本発明の説明上必要な範囲において説明する。メータユニット１１は金属など剛性のある材料で作られたベース１３を備え、このベース１３をメータボックス１の底板３上の適宜な位置に位置決めして載置固定することにより、メータボックス１内に取付けられる。ベース１３上には、上流側に止水栓１５が、下流側に逆止弁１７が固定して取付けられ、これらの間にメータMが着脱自在に取付けられる。メータMを着脱するために、着脱装置１９が止水栓１５の下流側に取付けられ、そのハンドル２０を一方向に回転させることによりスライダー２１が前進し、メータMを逆止弁１７に向けて押付けて固定保持し、反対方向に回転することにより押付け力を解除してメータMの取外しができるようになっている。この着脱装置については公知であるので、これ以上の説明は省略する。なお、この例の場合、着脱装置２１とそれより上流側の配管が既設の上流側配管となり、逆止弁１７とそれより下流側の配管が既設の下流側配管となる。図中矢印で示すように、配水管（図示せず）からの水は給水管（図示せず）を通って止水栓１５、メータM、逆止弁１７を通って流れる。
【００１２】
次に本願発明のメータ仮設用ヨーク（以下「ヨーク」という。）について説明する。図２は前述したようにしてメータユニット１１から外したメータMをヨーク３１に取付けた状態を示す正面図であり、図３は右側面図である。
【００１３】
ヨーク３１は図に示されるように、メータMの上流側接続部M１に接続されるメータ上流部接続部３３を備えている。このメータ上流部接続部３３は水平に伸びる筒状の形をしており、上流側において仮設給水管６にアングル７を介して接続され、下流側において袋ナット３５を用いてメータMの上流側接続部M１に接続されている。メータMの下流側接続部M２には、これも筒状のメータ下流部接続部３７が袋ナット３９を用いて接続されている。メータ上流部接続部３３とメータ下流部接続部３７とは、それぞれ円形の貫通孔を備えており、それらの軸心は同一線上にある。
【００１４】
ヨーク３１は、メータ上流部接続部３３とメータ下流部接続部３７より下方で、それらの軸心と平行な軸心を有する真直部４１を備えている。真直部４１の図中左側の部分は上流側既設配管接続部４３であり、上流側既設配管を構成する着脱装置１９に接続され、右側の下流側既設配管接続部４５は、下流側の既設配管を構成する逆止弁１７に接続されている。真直部４１は、図１で説明したメータMの着脱と同じ要領で着脱装置１９を操作することにより、図示のように着脱装置１９と逆止弁１７との間で固定し、或いは取外すことができる。
【００１５】
メータ上流部接続部３３は、メータ上流部接続部３３から下方へ延び、次いで右側方へ延び、そして下方へ延びる第１中間部４７を介して真直部４１へ図示のように繋がり、メータ下流部接続部３７も、メータ下流部接続部３７から下方へ延び、次いで左方へ延び、そして下方へ延びる第２中間部４９を介して真直部４１に繋がっている。第１中間部４７は中実であるが、第２中間部４９は中空になっており、メータ下流部接続部３７下流側既設配管接続部４５とを連通し、逆止弁１７へ通じている。従って、図示の状態で仮設給水管６からの水は、メータMを通って逆止弁１７へと流れることができる。すなわち、配水管の敷設替え工事中であっても水を使用することができ、メータMは水平に設置されているので、正しい計量が行われる。なお図示の例では第１中間部４７は中実としているが、上流側配管に止水栓１５が取付けられ、メータを取り外す際にはこの止水栓１５を止水状態とするので、第１中間部４７が中空となっていても上流側へ水が流れることはない。
【００１６】
なおこの例では図３から判る通り、メータMは図３においてメータユニット１１に対して右側へ変位して取付けられているが、メータボックス１内に完全に収まっている。そして、ヨーク３１のメータ上流部接続部３３とメータ下流部接続部３７の部分で、支持脚５１により支持されている（図２には図示してない。）。支持脚５１は図４に示すように、メータ上流部接続部３３或いはメータ下流部接続部３７に嵌る、円の一部を切り欠いた形をした嵌合部５３と、メータボックス１１の底板３上に載るベース部５５と、それらの部分を繋ぐ連結部５７とを備えており、金属など剛性のある素材で作られている。
【００１７】
メータMをヨーク３１を用いて仮設する手順は、先ず図１の状態からメータMをメータユニット１１から取り外し、ヨーク３１の真直部４１を着脱装置１９と逆止弁１７との間に取付ける。次いで、メータMを袋ナット３５，３９を用いてヨーク３１へ取付ける。なお、ヨーク３１にメータMを先に取付けておいてもよい。なお、着脱装置１９で、メータMを取付けたヨーク３１を強固に固定支持できる場合には、支持脚５１は不要である。
【００１８】
上記説明においてはメータユニットを例として説明したが、ユニットになっていない既設配管にも本願発明のヨークは使用可能である。また、メータがフランジ式の場合には、ヨークのメータへの接続部にフランジを設ける。また、メータがねじ式の場合、ヨークのメータへの接続部をねじにしておくと、メータの取付けが上記に説明したような着脱装置を用いての圧着式の場合と、ねじ結合の場合との両方に対応できる。
【図１】
2015145593.tif 000003
【図２】
2015145593.tif 000004
【図３】
2015145593.tif 000005
【図４】
2015145593.tif 000006